(57)【特許請求の範囲】
【請求項１】
建築物の外壁本体に胴縁を介して取付ける外装パネルの下端部を覆う外装パネル用役物であって、
前記外装パネル用役物は第一垂直材と第二垂直材がそれぞれの下端部を水平材で連結して成る断面略Ｕ字形状の長尺材で形成され、
前記水平材に形成される水抜き孔を覆うカバー材が前記水平材の下面で前記外壁本体に向けて開口部を備えることを特徴とする外装パネル用役物。
【請求項２】
請求項１に記載の外装パネル用役物であって、前記水抜き孔とカバー材は板金加工で前記水平材に一体成形されることを特徴とする外装パネル用役物。
【発明の詳細な説明】
【技術分野】
【０００１】
本発明は、外装パネルを外壁本体に取付ける外装パネル用役物に関し、特に、外装パネルの下端部に形成される外装パネル用役物の水抜き孔の技術に関する。
【背景技術】
【０００２】
従来、外装パネル用役物として、例えば、特許文献１の記載が知られている。図５に示すように、特許文献１の外装パネル用役物３は外装パネル１の下端部を覆って建築物の外壁土台部８に沿って設けられる。
【０００３】
より詳しくは、外壁土台部８には外壁本体６が設けられ、外装パネル用役物３は外壁本体６の外面に胴縁１４を介して取付けられる。外装パネル用役物３の下方には水切り部材９を備える。
【０００４】
水切り部材９は第一垂直材９ａと斜材９ｂと第二垂直材９ｃから成り、第一垂直材９ａが釘等の固着具１６を用いて胴縁１４に固着される。
【０００５】
そして、外装パネル用役物３は平行する一対の垂直材３ｂ、３ｃが水平材３ａと連結して断面略Ｕ字状に形成されて成り、垂直材３ｃが釘等の固着具１７を用いて胴縁１４に固着される。水平材３ａには切り起こし片７を上方に切り起こして水抜き孔４が形成される。
【０００６】
このため、水抜き孔４からの雨水を水切り部材９によって外壁本体６から外側に流すことができる。
【特許文献１】特開２００１−１５２６５５号公報
【発明の開示】
【発明が解決しようとする課題】
【０００７】
ところが、図６に示すように、外装パネル１と外装パネル用役物３の垂直材３ｂの隙間からが侵入する雨水Ｑ１が水抜き孔４から雨水Ｑ２として排出される際に、水平材３ａの下面の水抜き孔近傍領域Ｓまで雨水Ｑ３が廻り込むので、乾燥後に水抜き孔近傍領域Ｓに砂埃などの汚れが残ったり、錆が発生した時に外観が目立つので品質性が劣るという問題があった。
【０００８】
さらに、雨水Ｑ２が水抜き孔４から直下の斜材９ｂの領域Ｓ１に落下するので、経年変化でその落差により領域Ｓ１の塗膜剥がれが生じるという問題があった。
【０００９】
本発明はかかる従来技術の問題に鑑みなされたものであって、外装パネル用役物の水抜き孔からの雨水の排出による汚れや錆が目立ちにくい外装パネル用役物を提供することを目的とする。
【課題を解決するための手段】
【００１０】
請求項１の発明は、建築物の外壁本体に胴縁を介して取付けられる外装パネルの下端部を覆う外装パネル用役物であって、前記外装パネル用役物は第一垂直材と第二垂直材がそれぞれの下端部を水平材で連結して成る断面略Ｕ字形状の長尺材で形成され、前記水平材に形成される水抜き孔を覆うカバー材が前記水平材の下面で前記外壁本体に向けて開口部を備えることを特徴としている。
【００１１】
請求項２の発明は、請求項１に記載の外装パネル用役物であって、前記水抜き孔とカバー材は板金加工で前記水平材に一体成形されることを特徴としている。
【発明の効果】
【００１２】
請求項１の発明によれば、前記外装パネル用役物は第一垂直材と第二垂直材がそれぞれの下端部を水平材で連結して成る断面略Ｕ字形状の長尺材で形成され、前記水平材に形成される水抜き孔を覆うカバー材が前記水平材の下面で前記外壁本体に向けて開口部を備えるので、開口部近傍に雨水の排出による汚れや錆が発生しても外部側から目立ちにくいので品質性が向上する。
【００１３】
請求項２の発明によれば、前記水抜き孔とカバー材は板金加工で前記水平材に一体成形されるので製作コストを下げることができる。
【発明を実施するための最良の形態】
【００１４】
以下に、本発明の第一の実施形態を図１〜図３に基づいて説明する。
【００１５】
＜外装パネル用役物の構成＞
図１、図２に示すように、本発明の外装パネル用役物２５は外装パネル２３の下端部２３ａを覆って建築物の外壁本体２２に胴縁２６を介して取付けられる。
【００１６】
外装パネル用役物２５は第一垂直材２５ａと第二垂直材２５ｃがそれぞれの下端部を水平材２５ｂで連結して成る断面略Ｕ字形状の長尺材で形成され、第一垂直材２５ａの上端部は折返し部２５ｄを設け、第二垂直材２５ｃの上端部は折重ね部２５ｅが設けられる。水平材２５ｂには下面側に水抜き部３０と上面側に水抜き部３０ａがそれぞれ交互に複数組形成される。
【００１７】
水抜き部３０は水平材２５ｂを切抜いてなる水抜き孔４０が水平材２５ｂの下面側からカバー材４１で覆われ、このカバー材４１には開口部４２が外壁本体２２に向けて設けられる。
【００１８】
より詳しくは、水平材２５ｂに略長方形の水抜き孔形成領域４０ａを確保し、この水抜き孔形成領域４０ａにおける外壁本体２２側の長辺Ｌ１を切断する。そして、板金加工によって他の長辺Ｌ２を折り曲げながら長辺Ｌ１を下方に押下げ、同時に短辺Ｌ３と短辺Ｌ４を湾曲させることによって水抜き孔４０が形成されるとともに湾曲したカバー材４１が一体的に形成される。
【００１９】
このとき、長辺Ｌ１を下方に押下げて成る開口下端部Ｌ５と湾曲した短辺Ｌ３と短辺Ｌ４と水平材２５ｂ（水抜き孔形成領域４０ａの長辺Ｌ１に該当する）に囲まれて開口部４２が外壁本体２２に向けて形成される。
【００２０】
開口部４２がより確実に外壁本体２２に向けて開口するように、開口部４２を形成する開口下端部Ｌ５はできるだけ長辺Ｌ１の下方垂直線上に位置することが好ましい。
【００２１】
水抜き部３０ａも水抜き部３０と同様に形成されるが、水抜き部３０ａは水平材２５ｂの上面側からカバー材４１aで覆われて開口部４２aが建築物の外部側に向かって設けられる。
【００２２】
ここで、上下方向の一対の外装パネル２３間に水切り部材２１が設けられる。水切り部材２１は第一垂直材３１とこの第一垂直材３１に平行な第二垂直材３２が第一垂直材３１の下端部から下方傾斜する斜材３３で第二垂直材３２の上端部と連結して成る垂直断面略Ｚ字形状の帯状で形成される。
より詳しくは、第一垂直材３１の下端部に第一垂直材３１に近接する第三垂直材３１aを備えこの第三垂直材３１aの下端部に斜材３３が連結する。第一垂直材３１の上端部は折り重ね部３１ｂを設け、第二垂直材３２の下端部は折返し部３２ａが設けられる。第一垂直材３１が外壁本体２２に釘等の固着具２９によって固着される。
【００２３】
外装パネル用役物２５の第二垂直材２５ｃは外装下地材としての胴縁２６を介して水切り部材２１の第一垂直材３１と共に外壁本体２２に釘等の固着具２９ａによって固着される。好ましくは、胴縁２６と第一垂直材３１との間に図示しない防水テープや透湿防水シートが挿入される。
【００２４】
このため、図３に示すように、雨水Ｐ１は外装パネル２３と外装パネル用役物２５の第一垂直材２５ａの折返し部２５ｄとの隙間から外装パネル用役物２５内に侵入した後、矢印Ｐ２で示すように水抜き孔４０からカバー材４１にガイドされ開口部４２から矢印Ｐ３で示すように第三垂直材３１aに向けて排出される。そして、矢印Ｐ３で示すように雨水は第三垂直材３１aと斜材３３に沿って外部側に排出される。
【００２５】
なお、外装パネル用役物２５の上面側に形成される水抜き孔４０のカバー材４１ａによって外装パネル２３の下端面が保持されて水平材２５ｂとの間に隙間が形成されるので雨水の流路が確保できる。
【００２６】
外装パネル２３は断熱性、遮音性等を目的として、内部の断熱材を両側から薄肉の金属板で被覆してなる金属サイディングが用いられる。複数の外装パネル２３は外壁本体２に縦張り又は横張りによって一定間隔で組付けられる。
【００２７】
外装パネル用役物２５は板厚０．３５ｍｍの薄厚鋼板を板金によって絞り加工して一体形成されるが、両表面にアルミ・亜鉛合金メッキを施し、さらに表面側となる面にフッ素樹脂塗装、裏面側にポリエステル樹脂塗装が施される。
【００２８】
＜外装パネル用役物の作用＞
上記、雨水Ｐ１は外装パネル用役物２５内に侵入した後、水抜き孔４０からカバー材４１にガイドされて開口部４２から矢印Ｐ３で示すように第三垂直材３１aに向けて排出される。そして、矢印Ｐ３で示すように雨水は第三垂直材３１aと斜材３３に沿って外部側に排出されるので流れ易くなる。
【００２９】
なお、好ましくは、第三垂直材３１aと斜材３３と水平材２５ｂで囲まれる空間における雨水の水抜けを良くするために、水抜き部３０はできるだけ第一垂直材２５ａに近接して形成される。
【００３０】
このように、雨水はカバー材４１の開口部４２から第三垂直材３１aに向けて排出されるので、開口部４２近傍に雨水による汚れや錆が発生しても外部側から汚れが直視しにくい位置で目立ちにくいので品質性が向上する。
【００３１】
雨水が水抜き孔４０から斜材３３へ直接落下しないので落差による衝撃で生じる経年変化が緩和されるので、斜材３３の塗膜剥がれが生じにくいので長期に亘って外観を保てるので品質性が向上する。
【００３２】
外装パネル用役物２５を板金するだけの簡単な構造でカバー材４１と開口部４２から成る水抜き部３０が一体形成されるので施工性が向上して低コストで製作できる。
【００３３】
＜本発明の第二の実施形態＞
本発明の第二の実施形態の外装パネル用役物を、図４を用いて説明するが、図１、図２、図３に示す外装パネル用役物の構成と同構成部分については、図面に同符号を付して重複した説明を省略する。
【００３４】
水切り部材２１aは第一垂直材３１ｃとこの第一垂直材３１ｃに平行な第二垂直材３２ｂが斜材３３ａと連結して成る垂直断面略Ｚ字形状の帯状で形成される。第一垂直材３１ｃは外壁本体２２に固着され、斜材３３ａは躯体を覆うと共に胴縁２６の下端部と外装パネル２３の下端部全域を概ね覆っている。また、本発明の第一の実施形態に比較して開口部４２と斜材３３ａの上下方向の隙間は狭くなっている。
【００３５】
この状態では、雨水は開口部４２から水平線に対して略３０度下方に排出されるので、斜材３３ａに排出される雨水の領域幅Ｈは雨量比例して変動する。
【００３６】
本発明の第二の実施形態であれば、雨水が水抜き孔４０から直下に落下せず斜材３３ａ上で領域幅Ｈをもって変動するので、雨水の落下衝撃による経年変化が緩和されるので斜材３３ａの塗膜剥がれが生じにくくなり長期に亘って外観を保てるので品質性が向上する。
【００３７】
以上、本発明の実施例を図面に基づいて説明したが、具体的な構成はこの実施例に限られるものではなく本発明の要旨を逸脱しない範囲の設計変更等があっても本発明に含まれる。
【００３８】
たとえば、水抜き孔４０に水平材２５ｂの下面から別途用意されたカバー材で覆い、このカバー材に外壁本体に向けて開口部を設ける構造でも構わない。
【００３９】
外装パネル用役物２５の上部側に形成される水抜き部３０ａは、下部側の水抜き部３０と同様にその開口部４２を外壁本体２２に向けて開口してもよい。外装パネル用役物２５はアルミ材や樹脂材で形成することもできる。
【００４０】
外装パネル用役物２５の上部側の水抜き部３０ａの開口部４２を閉じて、下部側の水抜き部３０の必要数を増やす構成でも構わない。この構成であれば、水抜き部３０ａの開口部４２からの直下に排出する雨水の悪影響を更に除外することができる。
【図面の簡単な説明】
【００４１】
【図１】本発明の第一の実施形態における、建築物の外壁本体２２に設けられる外装パネル用役物２５の状態を示す断面図である。
【図２】本発明の第一の実施形態における、図１のＡ−Ａ断面矢視図である。
【図３】本発明の第一の実施形態における、雨水が外装パネル用役物２５内に侵入した後、水抜き孔４０からカバー材４１にガイドされて開口部４２から排出する状態を示す断面図である。
【図４】本発明の第二の実施形態における、建築物の外壁本体２２に設けられる外装パネル用役物２５の状態を示す断面図である。
【図５】従来の、建築物の外壁本体に設けられる外装パネル用役物３の状態を示す断面図である。
【図６】図５における、雨水が外装パネル用役物３内に侵入した後、水抜き孔４から排出される状態を示す断面図である。
【符号の説明】
【００４２】
２２  外壁本体
２３  外装パネル
２３ａ  下端部
２５  外装パネル用役物
２５ａ  第一垂直材
２５ｂ  水平材
２５ｃ  第二垂直材
２６  胴縁
３０  水抜き部
４０  水抜き孔
４０ａ  水抜き孔形成領域
４１  カバー材
４２  開口部
Ｌ１  長辺
Ｌ２  長辺
Ｌ３  短辺
Ｌ４  短辺
【図１】
0004849017.tif 000002
【図２】
0004849017.tif 000003
【図３】
0004849017.tif 000004
【図４】
0004849017.tif 000005
【図５】
0004849017.tif 000006
【図６】
0004849017.tif 000007